(57)【要約】【課題】ある浴場の利用者の意思を、当該利用者の音声を使用することなく、別の浴場の利用者に報知する。【解決手段】通信機器１００ａおよび通信機器１００ｂの各々は、人間の意思Ｘ１を別の人間に伝えるための意思伝達操作を受付ける機能を有する受付部２を含む。通信機器１００ａは、当該通信機器１００ａの受付部２が利用者Ｍｎａにより行われる意思伝達操作を受け付けた場合、当該意思伝達操作に対応する意思Ｘ１を特定するための意思情報Ｗ１を、通信機器１００ｂへ送信する。通信機器１００ｂの報知部３は、意思情報Ｗ１により特定される意思Ｘ１を報知するための報知処理を行う。【選択図】図１
2018128707.tif 000002
【特許請求の範囲】
【請求項１】
複数の浴場を有する施設に設けられている第１浴場を利用する第１利用者が当該第１浴場を利用する際に保持している第１通信機器と、
前記施設に設けられている第２浴場を利用する第２利用者が当該第２浴場を利用する際に保持している第２通信機器と、を備え、
前記第１通信機器および前記第２通信機器の各々は、当該第１通信機器と当該第２通信機器との間で通信を行う機能を有し、
前記第１通信機器および前記第２通信機器の各々は、
人間の意思を別の人間に伝えるための操作である意思伝達操作を受付ける機能を有する受付部と、
前記意思伝達操作に対応する意思を報知するための処理を行う機能を有する報知部とを含み、
前記第１通信機器は、当該第１通信機器の前記受付部が前記第１利用者により行われる前記意思伝達操作を受け付けた場合、当該意思伝達操作に対応する意思を特定するための意思情報を、前記第２通信機器へ送信し、
前記第２通信機器の前記報知部は、前記意思情報により特定される意思を報知するための報知処理を行う
通信システム。
【請求項２】
前記第２通信機器の前記受付部は、さらに、前記第２利用者が、前記報知処理により報知された意思を確認したことを示す操作である確認操作を受付け、
前記第２通信機器の前記受付部が前記確認操作を受付けた場合、前記第２通信機器は、前記第１通信機器が送信した前記意思情報により特定される意思が、前記第２利用者に伝わったことを示す確認情報を、前記第１通信機器へ送信し、
前記第１通信機器が前記確認情報を受信した場合、当該第１通信機器の前記報知部は、当該第１通信機器が送信した前記意思情報により特定される意思が前記第２利用者に伝わったことを報知するための処理を行う
請求項１に記載の通信システム。
【請求項３】
前記第１通信機器は、中継器を介して、前記第２通信機器と通信可能なように構成されており、
前記中継器は、前記第１通信機器が送信した前記意思情報を記憶し、
前記中継器は、さらに、記憶されている前記意思情報を前記第２通信機器へ送信する
請求項１に記載の通信システム。
【請求項４】
前記第１通信機器が前記第２通信機器と直接通信可能な状況において、
（ａ１）前記第１通信機器は、当該第１通信機器の前記受付部が前記第１利用者により行われる前記意思伝達操作を受け付けた場合、当該意思伝達操作に対応する意思を特定するための意思情報を、前記第２通信機器へ送信し、
（ａ２）前記第２通信機器の前記報知部は、前記意思情報により特定される意思を報知するための報知処理を行い、
前記第１通信機器が、中継器を介して、前記第２通信機器と通信可能な状況において、
（ｂ１）前記中継器は、前記第１通信機器が送信した前記意思情報を記憶し、
（ｂ２）前記中継器は、さらに、記憶されている前記意思情報を前記第２通信機器へ送信する
請求項１に記載の通信システム。
【請求項５】
前記第１通信機器は、基地局としての中継器を介して、前記第２通信機器と通信可能なように構成されている
請求項１に記載の通信システム。
【請求項６】
前記第１通信機器は、移動局としての中継器を介して、前記第２通信機器と通信可能なように構成されている
請求項１に記載の通信システム。
【請求項７】
前記第１通信機器および前記第２通信機器の各々は、防水機能を有さない
請求項１に記載の通信システム。
【請求項８】
前記報知部は、振動または音により、前記意思情報により特定される意思を報知する
請求項１に記載の通信システム。
【請求項９】
前記第１通信機器および前記第２通信機器の各々は、複数種類の前記意思情報を独立して処理する
請求項１に記載の通信システム。
【請求項１０】
前記第１通信機器は、中継器を介して、前記第２通信機器と通信可能なように構成されており、
前記報知部は、当該報知部が前記第１通信機器および前記第２通信機器の各々に含まれる代わりに、前記中継器に含まれる
請求項１に記載の通信システム。
【発明の詳細な説明】
【技術分野】
【０００１】
本発明は、複数の浴場間において通信を行うための通信システムに関する。
【背景技術】
【０００２】
温泉、銭湯、スパ施設等の公衆浴場では、混浴が認められていない場合、一般的に、男湯と女湯とは互いに隔絶されている。そのため、夫婦等の男性および女性が、それぞれ、男湯および女湯へ入った場合、当該男性および当該女性は、互いに会話等を行うことが困難であった。
【０００３】
特許文献１では、互いに隔絶されていた男湯と女湯とにおいて、双方向通信を可能にするための技術（以下、「関連技術Ａ」ともいう）が開示されている。関連技術Ａにおいては、異なる浴場に入る二人の入浴者の各々が使用する通信手段は、防水加工が施された特定小電力トランシーバーまたは赤外線トランシーバーである。
【０００４】
特許文献２では、公衆浴場内の各利用者の在所を簡単に管理することが可能な技術（以下、「関連技術Ｂ」ともいう）が開示されている。
【先行技術文献】
【特許文献】
【０００５】
【特許文献１】特開２０１２−２２７６６６号公報
【特許文献２】特開２００３−３３７８５５号公報
【発明の概要】
【発明が解決しようとする課題】
【０００６】
複数の浴場間において、複数の利用者が互いにコミュニケーションをとるために、利用者の音声を使用することが好ましくない状況がある。このような状況では、複数の浴場において、ある浴場の利用者の意思を、当該利用者の音声を使用することなく、別の浴場の利用者に報知することが要求される場合がある。関連技術Ａ，Ｂでは、この要求を満たすことはできない。
【０００７】
本発明は、このような問題を解決するためになされたものであり、ある浴場の利用者の意思を、当該利用者の音声を使用することなく、別の浴場の利用者に報知することが可能な通信システムを提供することを目的とする。
【課題を解決するための手段】
【０００８】
上記目的を達成するために、本発明の一態様に係る通信システムは、複数の浴場を有する施設に設けられている第１浴場を利用する第１利用者が当該第１浴場を利用する際に保持している第１通信機器と、前記施設に設けられている第２浴場を利用する第２利用者が当該第２浴場を利用する際に保持している第２通信機器と、を備え、前記第１通信機器および前記第２通信機器の各々は、当該第１通信機器と当該第２通信機器との間で通信を行う機能を有し、前記第１通信機器および前記第２通信機器の各々は、人間の意思を別の人間に伝えるための操作である意思伝達操作を受付ける機能を有する受付部と、前記意思伝達操作に対応する意思を報知するための処理を行う機能を有する報知部とを含み、前記第１通信機器は、当該第１通信機器の前記受付部が前記第１利用者により行われる前記意思伝達操作を受け付けた場合、当該意思伝達操作に対応する意思を特定するための意思情報を、前記第２通信機器へ送信し、前記第２通信機器の前記報知部は、前記意思情報により特定される意思を報知するための報知処理を行う。
【発明の効果】
【０００９】
本発明によれば、通信システムは、第１利用者が第１浴場を利用する際に保持している第１通信機器と、第２利用者が第２浴場を利用する際に保持している第２通信機器と、を備える。前記第１通信機器および前記第２通信機器の各々は、人間の意思を別の人間に伝えるための意思伝達操作を受付ける機能を有する受付部を含む。
【００１０】
前記第１通信機器は、当該第１通信機器の前記受付部が前記第１利用者により行われる前記意思伝達操作を受け付けた場合、当該意思伝達操作に対応する意思を特定するための意思情報を、前記第２通信機器へ送信する。前記第２通信機器の前記報知部は、前記意思情報により特定される意思を報知するための報知処理を行う。
【００１１】
これにより、第１浴場の第１利用者の意思を、当該第１利用者の音声を使用することなく、第２浴場の第２利用者に報知することができる。すなわち、ある浴場の利用者の意思を、当該利用者の音声を使用することなく、別の浴場の利用者に報知することができる。
【図面の簡単な説明】
【００１２】
【図１】本発明の実施の形態１に係る通信システムの利用形態を示す図である。
【図２】本発明の実施の形態１に係る通信機器が利用者の手首に取り付けられた状態を示す図である。
【図３】本発明の実施の形態１に係る通信機器の外観図である。
【図４】本発明の実施の形態１に係る通信機器の構成を示すブロック図である。
【図５】本発明の実施の形態１に係る報知部の状態遷移図である。
【図６】本発明の実施の形態１に係る意思伝達処理のシーケンス図である。
【図７】本発明の実施の形態２に係る通信システムの構成を示す図である。
【図８】本発明の実施の形態２の変形例１に係る通信システムの構成を示す図である。
【図９】通信システムの特徴的な機能構成を示すブロック図である。
【発明を実施するための形態】
【００１３】
以下、図面を参照しつつ、本発明の実施の形態について説明する。以下の図面では、同一の各構成要素には同一の符号を付してある。同一の符号が付されている各構成要素の名称および機能は同じである。したがって、同一の符号が付されている各構成要素の一部についての詳細な説明を省略する場合がある。
【００１４】
なお、実施の形態において例示される各構成要素の寸法、材質、形状、当該各構成要素の相対配置などは、本発明が適用される装置の構成、各種条件等により適宜変更されてもよい。
【００１５】
＜実施の形態１＞
図１は、本発明の実施の形態１に係る通信システム１０００の利用形態を示す図である。図１を参照して、通信システム１０００は、通信機器１００ａ，１００ｂを備える。通信機器１００ａおよび通信機器１００ｂの各々は、通信機器１００ａと通信機器１００ｂとの間で通信を行う機能を有する。例えば、通信機器１００ａ，１００ｂは、互いに、無線通信を行う機能を有する。
【００１６】
以下においては、通信機器１００ａ，１００ｂの各々を、総括的に、「通信機器１００」ともいう。通信機器１００は、人間の手首等に取り付け可能なように構成される。通信機器１００は、防水機能を有する。
【００１７】
図１には、仕切り部材ＷＬ１により、互いに隔絶された浴場Ｂｔ１ａおよび浴場Ｂｔ１ｂが示される。仕切り部材ＷＬ１は、例えば、壁である。浴場Ｂｔ１ａおよび浴場Ｂｔ１ｂは、複数の浴場を有する施設に設けられている。すなわち、浴場Ｂｔ１ａおよび浴場Ｂｔ１ｂは、同じ施設に設けられている。浴場Ｂｔ１ａは、例えば、男湯である。浴場Ｂｔ１ｂは、例えば、女湯である。
【００１８】
以下においては、浴場Ｂｔ１ａを利用する人間を、「利用者Ｍｎａ」ともいう。利用者Ｍｎａは、一例として、男性である。また、以下においては、浴場Ｂｔ１ｂを利用する人間を、「利用者Ｍｎｂ」ともいう。利用者Ｍｎｂは、一例として、女性である。
【００１９】
なお、浴場Ｂｔ１ａは、女湯であってもよい。浴場Ｂｔ１ａが女湯である場合、利用者Ｍｎａは女性である。また、浴場Ｂｔ１ｂは、男湯であってもよい。浴場Ｂｔ１ｂが男湯である場合、利用者Ｍｎｂは男性である。また、浴場Ｂｔ１ａおよび浴場Ｂｔ１ｂの両方が、男湯または女湯であってもよい。
【００２０】
以下においては、浴場Ｂｔ１ａ，Ｂｔ１ｂの各々を、総括的に、「浴場Ｂｔ１」ともいう。また、以下においては、利用者Ｍｎａ，Ｍｎｂの各々を、総括的に、「利用者Ｍｎ」ともいう。通信システム１０００は、詳細は後述するが、利用者Ｍｎの意思を、別の利用者Ｍｎに伝えることが可能なシステムである。
【００２１】
図２は、本発明の実施の形態１に係る通信機器１００が利用者Ｍｎの手首に取り付けられた状態を示す図である。通信機器１００が利用者Ｍｎの手首に取り付けられた状態は、当該利用者Ｍｎが当該通信機器１００を保持している状態である。図３は、本発明の実施の形態１に係る通信機器１００の外観図の一例である。
【００２２】
本実施の形態では、利用者Ｍｎａが浴場Ｂｔ１ａを利用する際に当該利用者Ｍｎａは通信機器１００ａを保持している。また、利用者Ｍｎｂが浴場Ｂｔ１ｂを利用する際に当該利用者Ｍｎｂは通信機器１００ｂを保持している。図１では、一例として、通信機器１００ａを保持している利用者Ｍｎａが浴場Ｂｔ１ａに入っており、通信機器１００ｂを保持している利用者Ｍｎｂが浴場Ｂｔ１ｂに入っている状態を示す。
【００２３】
詳細は後述するが、通信機器１００ａ，１００ｂは、利用者Ｍｎａと利用者Ｍｎｂとの間において、互いの意思を伝えることが可能なように構成される。
【００２４】
図４は、本発明の実施の形態１に係る通信機器１００の構成を示すブロック図である。図３および図４を参照して、通信機器１００は、受付部２ａ，２ｂ，２ｃを含む。以下においては、受付部２ａ，２ｂ，２ｃの各々を、総括的に、「受付部２」ともいう。また、以下においては、人間が行う操作を、「操作Ｏｐ」ともいう。
【００２５】
受付部２は、操作Ｏｐを受付ける機能を有するインターフェースである。受付部２は、例えば、タッチセンサである。受付部２は、当該受付部２に人間の指が触れたことを検知する機能を有する。以下においては、人間の指が受付部２に触れる操作Ｏｐを、「押下操作」ともいう。受付部２は、当該受付部２に対する押下操作を受付ける機能を有する。
【００２６】
以下においては、人間である利用者Ｍｎの意思を、「意思Ｘ１」ともいう。本実施の形態では、一例として、３種類の意思Ｘ１を使用して説明する。以下においては、３種類の意思Ｘ１を、意思Ｘ１ａ，Ｘ１ｂ，Ｘ１ｃと表記する。
【００２７】
意思Ｘ１ａは、浴場Ｂｔ１に入っている利用者Ｍｎに対し、当該浴場Ｂｔ１から出るか否かを問い合わせるための意思である。意思Ｘ１ａは、例えば、「出る？」と表現される意思である。
【００２８】
意思Ｘ１ｂは、浴場Ｂｔ１に入っている利用者Ｍｎが、当該浴場Ｂｔ１から出るという意思である。意思Ｘ１ｂは、例えば、「出ます」と表現される意思である。意思Ｘ１ｃは、浴場Ｂｔ１に入っている利用者Ｍｎが、当該浴場Ｂｔ１からまだ出たくないという意思である。意思Ｘ１ｃは、例えば、「まだ！」と表現される意思である。
【００２９】
以下においては、人間の意思Ｘ１を別の人間に伝えるための操作を、「意思伝達操作」ともいう。意思伝達操作は、例えば、利用者Ｍｎａの意思Ｘ１を、利用者Ｍｎｂに伝えるための操作である。意思伝達操作は、例えば、受付部２に対する前述の押下操作である。すなわち、受付部２は、意思伝達操作（押下操作）を受付ける機能を有する。
【００３０】
通信機器１００は、さらに、制御部１０と、通信部４と、報知部３ａ，３ｂ，３ｃとを含む。制御部１０は、通信機器１００内の各構成要素を制御する機能を有する。
【００３１】
通信部４は、無線通信を行う機能を有する。通信部４は、無線通信により、情報の送受信を行う。通信部４は、送信部４ａおよび受信部４ｂを含む。送信部４ａは、無線通信により、情報を外部へ送信する機能を有する。受信部４ｂは、無線通信により、外部からの情報を受信する機能を有する。
【００３２】
通信機器１００ａ，１００ｂの各々において、予め、報知部３ａ，３ｂ，３ｃは、それぞれ、意思Ｘ１ａ，Ｘ１ｂ，Ｘ１ｃに対応付けられている。以下においては、報知部３ａ，３ｂ，３ｃの各々を、総括的に、「報知部３」ともいう。報知部３は、意思伝達操作に対応する意思Ｘ１を報知するための処理を行う機能を有する。
【００３３】
報知部３は、例えば、赤色ＬＥＤ（Light Emitting Diode）および青色ＬＥＤで構成される。報知部３の状態は、一例として、赤点灯状態、赤点滅状態、青点灯状態、青点滅状態および消灯状態のいずれかに設定される。
【００３４】
赤点灯状態は、赤色ＬＥＤが、赤色光を継続して射出している状態である。赤点滅状態は、赤色ＬＥＤが点滅している状態である。すなわち、赤点滅状態は、赤色ＬＥＤが、赤色光を、所定時間の間隔で、射出するという状態である。
【００３５】
青点灯状態は、青色ＬＥＤが、青色光を継続して射出している状態である。青点滅状態は、青色ＬＥＤが点滅している状態である。すなわち、青点滅状態は、青色ＬＥＤが、青色光を、所定時間の間隔で、射出するという状態である。消灯状態Ｓｔｎは、赤色ＬＥＤおよび青色ＬＥＤの両方が光を射出しない状態である。
【００３６】
以下においては、赤点灯状態、赤点滅状態、青点灯状態、青点滅状態および消灯状態を、それぞれ、状態ＳｔＲｐ、状態ＳｔＲｗ、状態ＳｔＢｐ、状態ＳｔＢｗおよび状態Ｓｔｎとも表記する。
【００３７】
報知部３は、当該報知部３の状態を、図５のように、状態ＳｔＲｐ、状態ＳｔＲｗ、状態ＳｔＢｐ、状態ＳｔＢｗおよび状態Ｓｔｎのいずれかに設定することにより、意思Ｘ１を報知する。
【００３８】
再び、図４を参照して、制御部１０は、さらに、記憶部１１を含む。記憶部１１は、情報を記憶するためのメモリである。記憶部１１は、意思情報Ｗ１ａ，Ｗ１ｂ，Ｗ１ｃを記憶している。以下においては、意思情報Ｗ１ａ，Ｗ１ｂ，Ｗ１ｃの各々を、総括的に、「意思情報Ｗ１」ともいう。意思情報Ｗ１は、意思Ｘ１を特定するための情報である。意思情報Ｗ１は、例えば、意思Ｘ１を識別するための識別情報を示す。
【００３９】
意思情報Ｗ１ａは、意思Ｘ１ａを特定するための情報である。意思情報Ｗ１ｂは、意思Ｘ１ｂを特定するための情報である。意思情報Ｗ１ｃは、意思Ｘ１ｃを特定するための情報である。
【００４０】
記憶部１１は、記憶領域Ｒ１ａ，Ｒ１ｂ，Ｒ１ｃを有する。記憶領域Ｒ１ａ，Ｒ１ｂ，Ｒ１ｃには、それぞれ、意思情報Ｗ１ａ，Ｗ１ｂ，Ｗ１ｃが記憶されている。以下においては、記憶領域Ｒ１ａ，Ｒ１ｂ，Ｒ１ｃの各々を、総括的に、「記憶領域Ｒ１」ともいう。すなわち、記憶部１１は、３つの記憶領域Ｒ１を有する。記憶領域Ｒ１は、意思情報Ｗ１を記憶するための専用の領域である。
【００４１】
記憶領域Ｒ１ａは、意思情報Ｗ１ａを記憶するための専用の領域である。また、記憶領域Ｒ１ｂは、意思情報Ｗ１ｂを記憶するための専用の領域である。また、記憶領域Ｒ１ｃは、意思情報Ｗ１ｃを記憶するための専用の領域である。
【００４２】
また、報知部３ａ，３ｂ，３ｃは、それぞれ、記憶領域Ｒ１ａ，Ｒ１ｂ，Ｒ１ｃに対応付けられている。報知部３は、当該報知部３に対応する記憶領域Ｒ１に記憶されている意思情報Ｗ１に基づいて、当該報知部３の状態を変化させる。例えば、報知部３ａは、当該報知部３ａに対応する記憶領域Ｒ１ａに記憶されている意思情報Ｗ１ａに基づいて、当該報知部３ａの状態を変更する。
【００４３】
本実施の形態では、通信機器１００が、意思情報Ｗ１を送信する場合、当該通信機器１００の報知部３は、例えば、青色光を使用した処理を行う。通信機器１００が、意思情報Ｗ１を受信する場合、当該通信機器１００の報知部３は、例えば、赤色光を使用した処理を行う。
【００４４】
次に、利用者Ｍｎａと利用者Ｍｎｂとの間で、意思を伝達するための処理（以下、「意思伝達処理」ともいう）について説明する。図６は、本発明の実施の形態１に係る意思伝達処理のシーケンス図である。
【００４５】
ここで、以下の前提Ｐｍ１を考慮する。前提Ｐｍ１では、一例として、通信機器１００ａを保持している利用者Ｍｎａが浴場Ｂｔ１ａに入っている。また、前提Ｐｍ１では、一例として、通信機器１００ｂを保持している利用者Ｍｎｂが浴場Ｂｔ１ｂに入っている。また、前提Ｐｍ１では、仕切り部材ＷＬ１は電波を通しやすい部材で構成される。また、前提Ｐｍ１では、利用者Ｍｎａが保持している通信機器１００ａ、および，利用者Ｍｎｂが保持している通信機器１００ｂは、互いに、直接、無線通信を行うことが可能である。
【００４６】
また、前提Ｐｍ１では、意思伝達処理が開始される直前において、通信機器１００ａ，１００ｂの各々に含まれる報知部３ａ，３ｂ，３ｃの状態は、消灯状態である。また、前提Ｐｍ１では、利用者Ｍｎａが浴場Ｂｔ１ａから出ることを望んでいる状態で、「出る？」を表現する、利用者Ｍｎａの意思Ｘ１ａを、利用者Ｍｎｂに伝えるための操作を行う。具体的には、前提Ｐｍ１では、利用者Ｍｎａが通信機器１００ａの受付部２ａに対し、押下操作（意思伝達操作）を行う。
【００４７】
以下においては、通信機器１００ａおよび通信機器１００ｂを、それぞれ、通信機器ＣＡおよび通信機器ＣＢとも表記する。図６に示される通信機器ＣＡおよび通信機器ＣＢは、それぞれ、通信機器１００ａおよび通信機器１００ｂである。
【００４８】
前提Ｐｍ１における意思伝達処理では、まず、通信機器１００ａの受付部２ａが、利用者Ｍｎａにより行われる意思伝達操作を受付ける。通信機器１００ａの受付部２ａが受付ける、利用者Ｍｎａにより行われる意思伝達操作は、利用者Ｍｎａの意思Ｘ１ａに対応する。
【００４９】
これにより、通信機器１００ａの制御部１０が、「出る？」を表現する意思Ｘ１ａを特定するための意思情報Ｗ１ａを、送信対象の情報に設定する（Ｓ１１０）。
【００５０】
次に、送信対象の情報が、「出る？」を表現する意思Ｘ１ａを特定するための意思情報Ｗ１ａに設定された場合、通信機器１００ａにおいて、ステップＳ１２０の送信処理Ａが行われる。
【００５１】
送信処理Ａでは、通信機器１００ａにおいて、制御部１０が、報知部３ａの状態を状態ＳｔＢｗ（青点滅状態）に設定する。具体的には、制御部１０は、記憶部１１に記憶されている意思情報Ｗ１ａが、青点滅状態を示すように、当該意思情報Ｗ１ａを更新する。これにより、記憶部１１の状態が遷移する。また、通信機器１００ａの報知部３ａの状態は、消灯状態から青点滅状態へ遷移する（図５参照）。
【００５２】
また、通信機器１００ａの制御部１０は、状態が遷移した記憶部１１に記憶されている、青点滅状態を示す意思情報Ｗ１ａを、通信部４（送信部４ａ）を介して、通信機器１００ｂへ送信する。すなわち、通信機器１００ａは、当該通信機器１００ａの受付部２ａが利用者Ｍｎａにより行われる意思伝達操作を受け付けた場合、当該意思伝達操作に対応する意思Ｘ１ａを特定するための意思情報Ｗ１ａを、通信機器１００ｂへ送信する。これにより、通信機器１００ｂの制御部１０は、通信部４（受信部４ｂ）を介して、意思情報Ｗ１ａを受信する。
【００５３】
通信機器１００ｂでは、ステップＳ２１０の報知処理Ｂが行われる。前提Ｐｍ１における報知処理Ｂでは、通信機器１００ｂにおいて、制御部１０が、意思情報Ｗ１ａにより特定される意思Ｘ１ａに対応する報知部３ａの状態を、状態ＳｔＲｗ（赤点滅状態）に設定する。具体的には、制御部１０は、記憶部１１に記憶されている意思情報Ｗ１ａが、赤点滅状態を示すように、当該意思情報Ｗ１ａを更新する。これにより、記憶部１１の状態が遷移する。また、通信機器１００ｂの報知部３ａの状態は、消灯状態から赤点滅状態へ遷移する（図５参照）。
【００５４】
利用者Ｍｎｂが保持している通信機器１００ｂの報知部３ａの状態が、赤点滅状態になることにより、当該利用者Ｍｎｂに、利用者Ｍｎａの意思Ｘ１ａを報知することができる。すなわち、前提Ｐｍ１における報知処理Ｂでは、通信機器１００ｂの報知部３ａが、意思情報Ｗ１ａにより特定される意思Ｘ１ａを報知するための報知処理を行う。これにより、利用者Ｍｎｂは、利用者Ｍｎａの意思Ｘ１ａを確認する。
【００５５】
前提Ｐｍ１では、利用者Ｍｎｂは、通信機器１００ｂの受付部２ａに対し、押下操作を行う。当該押下操作は、利用者Ｍｎｂが、報知処理Ｂで行われる報知処理により報知された意思Ｘ１ａを確認したことを示す確認操作である。通信機器１００ｂの受付部２ａは、当該確認操作（押下操作）を受付ける。受付部２ａが確認操作を受付けた場合、通信機器１００ｂにおいて、ステップＳ２２０の確認処理Ｂが行われる。
【００５６】
確認処理Ｂでは、通信機器１００ｂにおいて、制御部１０が、報知部３ａの状態を状態ＳｔＲｐ（赤点灯状態）に設定する。具体的には、制御部１０は、記憶部１１に記憶されている意思情報Ｗ１ａが、赤点灯状態を示すように、当該意思情報Ｗ１ａを更新する。これにより、記憶部１１の状態が遷移する。また、通信機器１００ｂの報知部３ａの状態は、赤点滅状態から赤点灯状態へ遷移する（図５参照）。
【００５７】
次に、通信機器１００ｂでは、ステップＳ２３０の送信処理Ｂが行われる。送信処理Ｂでは、通信機器１００ｂにおいて、制御部１０が、状態が遷移した記憶部１１に記憶されている、赤点灯状態を示す意思情報Ｗ１ａを、通信部４（送信部４ａ）を介して、通信機器１００ａへ送信する。当該赤点灯状態を示す意思情報Ｗ１ａは、通信機器１００ａが送信した意思情報Ｗ１ａにより特定される意思Ｘ１ａが、利用者Ｍｎｂに伝わったことを示す確認情報である。
【００５８】
これにより、通信機器１００ａは、確認情報（赤点灯状態を示す意思情報Ｗ１ａ）を受信する。通信機器１００ａが確認情報を受信した場合、通信機器１００ａでは、ステップＳ１３０の確認報知処理が行われる。
【００５９】
確認報知処理では、通信機器１００ａにおいて、制御部１０が、確認情報（意思情報Ｗ１ａ）により特定される意思Ｘ１ａに対応する報知部３ａの状態を、状態ＳｔＢｐ（青点灯状態）に設定する。具体的には、制御部１０は、記憶部１１に記憶されている意思情報Ｗ１ａが、青点灯状態を示すように、当該意思情報Ｗ１ａを更新する。
【００６０】
これにより、記憶部１１の状態が遷移する。また、通信機器１００ａの報知部３ａの状態は、青点滅状態から青点灯状態へ遷移する（図５参照）。青点灯状態の報知部３ａは、青色光を継続して射出する。これにより、通信機器１００ａを保持している利用者Ｍｎａは、通信機器１００ｂを保持している利用者Ｍｎｂが、当該利用者Ｍｎａの意思Ｘ１ａを確認したことを認識する。すなわち、確認報知処理において、通信機器１００ａの報知部３ａは、通信機器１００ａが送信した意思情報Ｗ１ａにより特定される意思Ｘ１ａが利用者Ｍｎｂに伝わったことを報知するための処理（青点灯）を行う。
【００６１】
以上の処理により、利用者Ｍｎｂは、利用者Ｍｎａの意思Ｘ１ａを確認する。また、利用者Ｍｎａは、利用者Ｍｎｂが、当該利用者Ｍｎａの意思Ｘ１ａを確認したことを認識する。
【００６２】
次に、通信機器１００ａ，１００ｂの各々の報知部３ａの状態を初期状態に戻すための処理の一例について説明する。以下においては、青点灯状態の報知部３ａを含む通信機器１００ａの受付部２ａに対して行われる押下操作を、「リセット操作」という。
【００６３】
前提Ｐｍ１では、利用者Ｍｎａが、青点灯状態の報知部３ａを含む通信機器１００ａの受付部２ａに対し、押下操作（リセット操作）を行う。この場合、通信機器１００ａにおいて、ステップＳ１９０のリセット処理Ａが行われる。
【００６４】
リセット処理Ａでは、制御部１０が、報知部３ａの状態を、状態Ｓｔｎ（消灯状態）に設定する。具体的には、制御部１０は、記憶部１１に記憶されている意思情報Ｗ１ａが、消灯状態を示すように、当該意思情報Ｗ１ａを更新する。これにより、記憶部１１の状態が遷移する。また、通信機器１００ａの報知部３ａの状態は、青点灯状態から消灯状態へ遷移する（図５参照）。
【００６５】
そして、制御部１０が、リセット情報を、通信機器１００ｂへ送信する。リセット情報を受信した通信機器１００ｂでは、ステップＳ２９０のリセット処理Ｂが行われる。
【００６６】
リセット処理Ｂでは、制御部１０が、報知部３ａの状態を、状態Ｓｔｎ（消灯状態）に設定する。具体的には、制御部１０は、記憶部１１に記憶されている意思情報Ｗ１ａが、消灯状態を示すように、当該意思情報Ｗ１ａを更新する。これにより、記憶部１１の状態が遷移する。また、通信機器１００ｂの報知部３ａの状態は、赤点灯状態から消灯状態へ遷移する（図５参照）。
【００６７】
次に、利用者Ｍｎａの意思Ｘ１ａを確認した利用者Ｍｎｂが、当該意思Ｘ１ａに対して回答を行う場合の処理について説明する。利用者Ｍｎｂが浴場Ｂｔ１ｂから出たい場合、「出ます」を表現する意思Ｘ１ｂを、利用者Ｍｎａに伝えるための操作を利用者Ｍｎｂが行う。具体的には、利用者Ｍｎｂは、通信機器１００ｂの受付部２ｂに対し、押下操作（意思伝達操作）を行う。
【００６８】
これにより、前述のステップＳ１１１，Ｓ１２０，Ｓ２１０からＳ２３０，Ｓ１３０の説明において、通信機器１００ａ，１００ｂを、それぞれ、通信機器１００ｂ，１００ａに置き換えた処理と同様な処理が行われる。その結果、利用者Ｍｎｂの、「出ます」を表現する意思Ｘ１ｂを、利用者Ｍｎａに伝えることができる。
【００６９】
また、利用者Ｍｎｂが浴場Ｂｔ１ｂに入っている状態を継続したい場合、「まだ！」を表現する意思Ｘ１ｃを、利用者Ｍｎａに伝えるための操作を利用者Ｍｎｂが行う。具体的には、利用者Ｍｎｂは、通信機器１００ｂの受付部２ｃに対し、押下操作（意思伝達操作）を行う。
【００７０】
これにより、前述のステップＳ１１１，Ｓ１２０，Ｓ２１０からＳ２３０，Ｓ１３０の説明において、通信機器１００ａ，１００ｂを、それぞれ、通信機器１００ｂ，１００ａに置き換えた処理と同様な処理が行われる。その結果、利用者Ｍｎｂの、「まだ！」を表現する意思Ｘ１ｃを、利用者Ｍｎａに伝えることができる。
【００７１】
以上説明したように、本実施の形態によれば、通信システム１０００は、利用者Ｍｎａが浴場Ｂｔ１ａを利用する際に保持している通信機器１００ａと、利用者Ｍｎｂが浴場Ｂｔ１ｂを利用する際に保持している通信機器１００ｂと、を備える。通信機器１００ａおよび通信機器１００ｂの各々は、人間の意思Ｘ１を別の人間に伝えるための意思伝達操作を受付ける機能を有する受付部２を含む。
【００７２】
通信機器１００ａは、当該通信機器１００ａの受付部２が利用者Ｍｎａにより行われる意思伝達操作を受け付けた場合、当該意思伝達操作に対応する意思Ｘ１を特定するための意思情報Ｗ１を、通信機器１００ｂへ送信する。通信機器１００ｂの報知部３は、意思情報Ｗ１により特定される意思Ｘ１を報知するための報知処理を行う。
【００７３】
これにより、浴場Ｂｔ１ａの利用者Ｍｎａの意思を、当該利用者Ｍｎａの音声を使用することなく、浴場Ｂｔ１ｂの利用者Ｍｎｂに報知することができる。すなわち、ある浴場の利用者の意思を、当該利用者の音声を使用することなく、別の浴場の利用者に報知することができる。
【００７４】
また、本実施の形態では、利用者Ｍｎａが、例えば、「出る？」を表現する意思Ｘ１ａを、利用者Ｍｎｂに伝えるための操作を行う。当該操作により、通信機器１００ａおよび通信機器１００ｂにおいて、前述のステップＳ１１１，Ｓ１２０，Ｓ２１０からＳ２３０，Ｓ１３０の処理が行われる。
【００７５】
これにより、通信機器１００ｂでは、利用者Ｍｎｂに、利用者Ｍｎａの意思Ｘ１ａを報知するための処理が行われる。また、通信機器１００ａでは、利用者Ｍｎａが、利用者Ｍｎｂが、当該利用者Ｍｎａの意思Ｘ１ａを確認したことを認識できるための処理が行われる。したがって、利用者Ｍｎｂは、利用者Ｍｎａの意思Ｘ１ａを確認することができる。また、利用者Ｍｎａは、利用者Ｍｎｂが、当該利用者Ｍｎａの意思Ｘ１ａを確認したことを認識することができる。
【００７６】
また、利用者Ｍｎｂは、利用者Ｍｎａの意思Ｘ１ａに対する、利用者Ｍｎｂの意思Ｘを利用者Ｍｎａへ伝えるための操作を、通信機器１００ｂの受付部２に対し行う。この場合、利用者Ｍｎｂの意思Ｘを、利用者Ｍｎａへ伝えることができる。なお、利用者Ｍｎｂが、「出る？」を表現する意思Ｘ１ａに対応できないために、「まだ！」を表現する意思Ｘ１ｃを利用者Ｍｎａに伝えるための操作が行われた場合、前述のステップＳ１１１，Ｓ１２０，Ｓ２１０からＳ２３０，Ｓ１３０の処理と同様な処理が行われる。これにより、利用者Ｍｎｂの、「まだ！」を表現する意思Ｘ１ｃを、利用者Ｍｎａに伝えることができる。
【００７７】
また、本実施の形態によれば、例えば、互いに隔絶された男湯と女湯との間において、利用者Ｍｎａおよび利用者Ｍｎｂの各々が、お互いの状態を確実に共有することができる。そのため、利用者Ｍｎａおよび利用者Ｍｎｂの各々が、他者の存在を気にすることなく、互いに意思疎通を取ることができるという効果がある。
【００７８】
なお、前述の関連技術Ａが適用された通信システムは、トランシーバーを使用して、男湯と女湯との間において、音声を相互にやり取りする。一般的に、公衆浴場では、電車内と同様に、音声による連絡は憚られる。そのため、公衆浴場に、関連技術Ａが適用された通信システムを導入するのは望ましくないという問題がある。また、利用者が洗髪等を行っている場合、関連技術Ａが適用された通信システムでは、トランシーバーを使用した連絡ができないという問題がある。
【００７９】
なお、関連技術Ｂが適用された利用者在所管理システムでは、音声による連絡は行わないため、上記の問題は発生しない。しかしながら、利用者在所管理システムでは、各利用者の所在を管理できるが、相手の意思を認識することはできない。
【００８０】
また、利用者が公衆浴場へ初めて入る場合、相手の所在が分かっても、当該在所が何処であるか容易には分からない。そのため、関連技術Ａが適用された通信システムでは、複数の利用者がお互いに連絡を取って、意思疎通を計るという目的を満たしていないという問題がある。
【００８１】
そこで、本実施の形態の通信システム１０００は上記のように構成される。そのため、当該通信システム１０００は、上記の問題を解決することができる。
【００８２】
＜実施の形態２＞
本実施の形態の構成は、通信機器が、中継器を介して、別の通信機器と通信可能な構成（以下、「構成Ｃｔ２」ともいう）である。以下においては、構成Ｃｔ２が適用された通信システムを、「通信システム１０００Ａ」ともいう。
【００８３】
図７は、本発明の実施の形態２に係る通信システム１０００Ａの構成を示す図である。通信システム１０００Ａは、図１の通信システム１０００と比較して、中継器２００ａ，２００ｂを含む点が異なる。通信システム１０００Ａのそれ以外の構成は、通信システム１０００と同様なので詳細な説明は繰り返さない。
【００８４】
通信システム１０００Ａは、前述の浴場Ｂｔ１ａおよび浴場Ｂｔ１ｂが設けられた施設に設けられる。ここで、以下の前提Ｐｍ２を考慮する。前提Ｐｍ２は、前提Ｐｍ１と比較して、利用者Ｍｎａが保持している通信機器１００ａ、および，利用者Ｍｎｂが保持している通信機器１００ｂが、互いに、直接、無線通信を行うことできない点が異なる。前提Ｐｍ２のそれ以外の内容は、前提Ｐｍ１と同様である。すなわち、前提Ｐｍ２では、通信機器１００ａを保持している利用者Ｍｎａが浴場Ｂｔ１ａに入っている。また、前提Ｐｍ２では、通信機器１００ｂを保持している利用者Ｍｎｂが浴場Ｂｔ１ｂに入っている。
【００８５】
また、浴場Ｂｔ１ａおよび浴場Ｂｔ１ｂは、仕切り部材ＷＬ２により、互いに隔絶されている。前提Ｐｍ２では、仕切り部材ＷＬ２は、例えば、電波を通さない部材で構成される。そのため、前提Ｐｍ２では、利用者Ｍｎａが保持している通信機器１００ａ、および，利用者Ｍｎａが保持している通信機器１００ｂが、互いに、直接、無線通信を行うことできない。
【００８６】
中継器２００ａ，２００ｂの各々は、無線通信を行う機能を有する。中継器２００ａ，２００ｂは、ネットーワークＮＷ１を介して、互いに通信可能なように構成される。中継器２００ａ，２００ｂの各々は、情報を記憶する機能を有する。具体的には、中継器２００ａ，２００ｂの各々は、情報を記憶する記憶装置を有する。
【００８７】
前提Ｐｍ２において、中継器２００ａは、通信機器１００ａと直接通信可能なように構成される。また、前提Ｐｍ２において、中継器２００ｂは、通信機器１００ｂと直接通信可能なように構成される。
【００８８】
前提Ｐｍ２における通信システム１０００Ａでは、通信機器１００ａは、中継器２００ａ，２００ｂを介して、通信機器１００ｂと通信可能なように構成されている。以下においては、前提Ｐｍ２における通信システム１０００Ａにおいて行われる処理を、「通信処理Ａ」ともいう。
【００８９】
ここで、通信機器１００ａが中継器２００ａと通信可能な状態において、当該通信機器１００ａが意思情報Ｗ１を、通信機器１００ｂに向けて、中継器２００ａへ送信したと仮定する。また、当該意思情報Ｗ１は、利用者Ｍｎａの意思Ｘ１を特定するための情報であると仮定する。また、当該意思情報Ｗ１は、例えば、利用者Ｍｎａが浴場Ｂｔ１ａから出るタイミングを示す。この場合、通信処理Ａでは、中継器２００ａは、通信機器１００ａが送信した意思情報Ｗ１を記憶する。
【００９０】
そして、通信処理Ａでは、中継器２００ａは、当該中継器２００ａに記憶されている意思情報Ｗ１を、中継器２００ｂを介して、通信機器１００ｂへ送信する。具体的には、中継器２００ａは、中継器２００ｂが通信機器１００ｂと通信可能な状態である場合、意思情報Ｗ１を、ネットーワークＮＷ１および中継器２００ｂを介して、通信機器１００ｂへ送信する。
【００９１】
すなわち、利用者Ｍｎｂが保持している通信機器１００ｂが中継器２００ｂと通信可能な状態となったタイミングで、当該通信機器１００ｂは意思情報Ｗ１を受信する。これにより、通信機器１００ｂの報知部３は、意思情報Ｗ１に応じた報知を行うための処理（例えば、赤色光の点滅）を行う。
【００９２】
以上の通信処理Ａが行われることにより、通信システム１０００Ａでは、通信機器１００ａ，１００ｂが互いに直接通信を行う双方向通信と同様に、通信機器１００ａ，１００ｂ間における情報の伝達（双方向通信）を確実に行うことができる。
【００９３】
以下においては、中継器２００ａ，２００ｂの各々を、総括的に、「中継器２００」ともいう。すなわち、通信システム１０００Ａは、２台の中継器２００を含む。
【００９４】
なお、通信システム１０００Ａは、２台の中継器２００およびネットーワークＮＷ１の代わりに、１台の中継器２００を含む構成（以下、「構成Ｃｔ２ａ」ともいう）としてもよい。構成Ｃｔ２ａが適用された通信システム１０００Ａでは、通信機器１００ａは、中継器２００を介して、通信機器１００ｂと通信可能なように構成されている。
【００９５】
構成Ｃｔ２ａにおける通信処理Ａでは、中継器２００は、通信機器１００ａが送信した意思情報Ｗ１を記憶する。そして、中継器２００が通信機器１００ｂと通信可能な状態である場合、構成Ｃｔ２ａにおける通信処理Ａでは、中継器２００が、当該中継器２００に記憶されている意思情報Ｗ１を、通信機器１００ｂへ送信する。
【００９６】
したがって、構成Ｃｔ２ａにおける通信システム１０００Ａでも、構成Ｃｔ２における通信システム１０００Ａと同様な効果が得られる。
【００９７】
なお、通信システム１０００Ａに含まれる中継器２００の数は、３以上であってもよい。
【００９８】
以上説明したように、本実施の形態によれば、中継器２００が設けられることにより、通信機器１００ａおよび通信機器１００ｂが、互いに、直接、無線通信を行うことできない状態でも、通信機器１００ａは、１台以上の中継器２００を介して、通信機器１００ｂと通信を行うことができる。
【００９９】
なお、通信システム１０００Ａに含まれる中継器２００の数は、通信システム１０００Ａが設置される状況に応じて、任意に変更される。例えば、複数の浴場が存在する温泉街に通信システム１０００Ａが設置される場合、温泉街の規模にあわせて、中継器２００の数を増やしてもよい。
【０１００】
なお、通信機器１００ａ，１００ｂの各々が制御部１０を含まず、中継器２００ａ，２００ｂの各々が制御部１０を含む構成（以下、「構成Ｃｔ２ｂ」ともいう）としてもよい。これにより、構成Ｃｔ２ｂにおける通信機器１００ａ，１００ｂの構成を簡易化することができる。したがって、当該通信機器１００ａ，１００ｂのコストを削減することができる。
【０１０１】
なお、通信システム１０００Ａは、前述の前提Ｐｍ１において使用されてもよい。すなわち、通信システム１０００Ａが、前提Ｐｍ２および前提Ｐｍ１のいずれかにおいて使用される構成（以下、「構成Ｃｔ２ｗ」ともいう）としてもよい。
【０１０２】
通信システム１０００Ａが、前提Ｐｍ１において使用される構成Ｃｔ２ｗでは、通信機器１００ａが通信機器１００ｂと直接通信可能な状況において、以下の通信処理Ａ１が行われる。
【０１０３】
通信処理Ａ１では、実施の形態１で説明した処理が行われる。要約すれば、通信機器１００ａは、当該通信機器１００ａの受付部２が利用者Ｍｎａにより行われる意思伝達操作を受け付けた場合、当該意思伝達操作に対応する意思Ｘ１を特定するための意思情報Ｗ１を、通信機器１００ｂへ送信する。
【０１０４】
そして、通信機器１００ｂの報知部３は、意思情報Ｗ１により特定される意思Ｘ１を報知するための報知処理を行う。
【０１０５】
また、通信システム１０００Ａが、前提Ｐｍ２において使用される構成Ｃｔ２ｗでは、通信機器１００ａが、１台以上の中継器２００を介して、通信機器１００ｂと通信可能な状況において、前述の通信処理Ａが行われる。
【０１０６】
通信処理Ａでは、要約すれば、中継器２００は、通信機器１００ａが送信した意思情報Ｗ１を記憶する。そして、中継器２００が通信機器１００ｂと通信可能な状態である場合、中継器２００は、当該中継器２００に記憶されている意思情報Ｗ１を、通信機器１００ｂへ送信する。
【０１０７】
以上により、構成Ｃｔ２ｗでは、通信機器１００ａと通信機器１００ｂとの間の通信状態に応じて、即時通信、または、確実な双方向通信を実現することができる。
【０１０８】
＜実施の形態２の変形例１＞
本変形例の構成は、通信システム１０００Ａに含まれる中継器２００が、基地局である構成（以下、「構成Ｃｔ２ｍ１」ともいう）である。
【０１０９】
図８は、本発明の実施の形態２の変形例１に係る通信システム１０００Ａの構成を示す図である。図８では、一例として、３台の中継器２００を含む通信システム１０００Ａを示している。３台の中継器２００の各々は、基地局である。また、３台の中継器２００のうちの２台の中継器２００は、中継器２００ａ，２００ｂである。
【０１１０】
なお、通信システム１０００Ａに含まれる中継器２００の数は、１，２，４以上であってもよい。
【０１１１】
構成Ｃｔ２ｍ１では、通信機器１００ａは、基地局としての、１以上の中継器２００を介して、通信機器１００ｂと通信可能なように構成されている。構成Ｃｔ２ｍ１では、実施の形態２の前提Ｐｍ２における通信処理Ａが行われる。
【０１１２】
なお、構成Ｃｔ２ｍ１における中継器２００が、移動局である構成（以下、「構成Ｃｔ２ｍ２」ともいう）としてもよい。移動局は、当該移動局の位置を変更可能に構成される。当該移動局は、例えば、人間が持ち運び可能な通信端末である。
【０１１３】
構成Ｃｔ２ｍ２では、通信機器１００ａは、移動局としての、１以上の中継器２００を介して、通信機器１００ｂと通信可能なように構成されている。
【０１１４】
移動局を使用した場合、通信ルートを検索し直す必要があるが、移動局に接続可能な通信機器の数を増やすことが可能になる。
【０１１５】
＜変形例Ｘ１＞
本変形例の構成は、通信システム１０００または通信システム１０００Ａに含まれる通信機器１００ａ，１００ｂの各々が、防水機能を有さない構成（以下、「構成ＣｔＸ１」ともいう）である。
【０１１６】
例えば、互いに隔絶された２つの更衣室間において通信機器が使用される場合、水、温水等へ通信機器が投入されることに対応する必要はない。構成ＣｔＸ１における通信機器１００ａ，１００ｂは、例えば、カメラ機能を有する機器の使用が憚られるような２つの場所で、利用者Ｍｎａ，Ｍｎｂにより使用される。当該２つの場所は、前述の浴場Ｂｔ１ａ，Ｂｔ１ｂと同様に、互いに隔絶されている。構成ＣｔＸ１では、当該２つの場所において、意思疎通行うことができる。通信機器１００ａ，１００ｂの各々が防水機能を有さないことにより、通信機器１００ａ，１００ｂの各々のコストを抑えるとこが可能になる。
【０１１７】
＜変形例Ｘ２＞
実施の形態１では、報知部３が光を使用した報知を行うため、人間の視覚を利用して意思を伝達する構成を示した。本発明の構成は、五感のうち、視覚以外の感覚を利用して、意思を伝達する構成としてもよい。
【０１１８】
本変形例の構成は、通信システム１０００または通信システム１０００Ａに含まれる通信機器１００ａ，１００ｂの各々の報知部３が、光を使用しない構成（以下、「構成ＣｔＸ２」ともいう）である。
【０１１９】
構成ＣｔＸ２では、報知部３が、例えば、振動する機能を有する。報知部３は、例えば、前述の意思Ｘ１ａ，Ｘ１ｂ，Ｘ１ｃを、３種類の振動で表現する。報知部３は、例えば、当該報知部３が振動することにより、意思Ｘ１ａを報知する。例えば、構成ＣｔＸ２が適用された、図６のステップＳ２１０では、報知部３は、振動により、意思情報Ｗ１により特定される意思Ｘ１を報知する。この場合、人間の触覚を利用した報知を行うことができる。
【０１２０】
また、構成ＣｔＸ２では、報知部３が、例えば、音声を出力する機能を有してもよい。この場合、報知部３は、例えば、前述の意思Ｘ１ａ，Ｘ１ｂ，Ｘ１ｃを、３種類の音声で表現する。
【０１２１】
例えば、構成ＣｔＸ２が適用された、図６のステップＳ２１０では、報知部３は、音により、意思情報Ｗ１により特定される意思Ｘ１を報知する。この場合、人間の聴覚を利用した報知を行うことができる。
【０１２２】
また、本変形例では、例えば、バンドの締め方の強弱を変化させることにより、意思を伝達する構成としても良い。
【０１２３】
以上説明したように、本変形例によれば、利用者Ｍｎが、例えば、視覚障害を有する場合でも、意思の伝達を行うことができる。
【０１２４】
＜変形例Ｘ３＞
本変形例の構成は、使用される意思情報Ｗ１の数を変更可能な構成（以下、「構成ＣｔＸ３」ともいう）である。
【０１２５】
構成ＣｔＸ３では、通信システム１０００または通信システム１０００Ａに含まれる通信機器１００ａ，１００ｂの各々の記憶部１１が、特定の意思情報Ｗ１を記憶するための専用の記憶領域を有さない。構成ＣｔＸ３では、記憶部１１は、例えば、記憶領域Ｒ１ａ，Ｒ１ｂ，Ｒ１ｃの代わりに、１つの記憶領域Ｒｎを含む。
【０１２６】
構成ＣｔＸ３では、通信機器１００ａおよび通信機器１００ｂの各々は、複数種類の意思情報Ｗ１を記憶領域Ｒｎに共通して記憶させる。また、構成ＣｔＸ３では、前述した、実施の形態１の構成、構成Ｃｔ２、構成Ｃｔ２ａ、構成Ｃｔ２ｂ、構成Ｃｔ２ｗ、構成Ｃｔ２ｍ１、構成Ｃｔ２ｍ２、構成ＣｔＸ１、構成ＣｔＸ２、構成ＣｔＸ３、後述の構成ＣｔＸ４、および、後述の構成ＣｔＸ４ａのいずれにおいても、通信機器１００ａおよび通信機器１００ｂの各々は、複数種類の意思情報Ｗ１を独立して処理する。これにより、他の意思情報Ｗ１の状態を気にせずに、使用される意思情報Ｗ１の数の増減を容易に行うことができる。そのため、伝達対象となる意思Ｘ１の数の増減も容易に行うことができる。
【０１２７】
例えば、５分後、１０分後、１５分後のいずれかにおいて、利用者が浴場を出るという意思を伝えることを望んでいると仮定する。この場合、５分後、１０分後、１５分後に対応する３種類の意思情報Ｗ１を追加することにより、上記の望みに容易に対応することができる。
【０１２８】
＜変形例Ｘ４＞
本変形例の構成は、実施の形態２の前提Ｐｍ２における通信システム１０００Ａにおいて、中継器２００ａ，２００ｂの各々が報知部３を含む構成（以下、「構成ＣｔＸ４」ともいう）である。
【０１２９】
構成ＣｔＸ４では、中継器２００ａ，２００ｂの各々が、報知部３ａ，３ｂ，３ｃを含む。中継器２００ａ，２００ｂの各々に含まれる報知部３ａ，３ｂ，３ｃは、実施の形態１の報知部３ａ，３ｂ，３ｃと同じである。
【０１３０】
また、構成ＣｔＸ４では、通信機器１００ａ，１００ｂの各々は、報知部３ａ，３ｂ，３ｃを含まない。前述したように、報知部３ａ，３ｂ，３ｃの各々を、総括的に、「報知部３」ともいう。また、前述したように、中継器２００ａ，２００ｂの各々を、総括的に、「中継器２００」ともいう。すなわち、各報知部３は、当該各報知部３が通信機器１００ａおよび通信機器１００ｂの各々に含まれる代わりに、各中継器２００に含まれる。
【０１３１】
構成ＣｔＸ４では、実施の形態２と同様、通信機器１００ａは、中継器２００ａ，２００ｂを介して、通信機器１００ｂと通信可能なように構成されている。なお、構成ＣｔＸ４では、例えば、通信機器１００ａ，１００ｂの各々は、報知等の複雑な処理を行わず、簡易な処理のみを行う。例えば、通信機器１００ａ，１００ｂの各々は、意思情報Ｗ１の送信および受信を行う。
【０１３２】
以下においては、前提Ｐｍ２における構成ＣｔＸ４において行われる処理を、「通信処理Ｂ」ともいう。
【０１３３】
ここで、通信機器１００ａが中継器２００ａと通信可能な状態において、当該通信機器１００ａが意思情報Ｗ１を、通信機器１００ｂに向けて、中継器２００ａへ送信したと仮定する。また、当該意思情報Ｗ１は、利用者Ｍｎａの意思Ｘ１を特定するための情報であると仮定する。
【０１３４】
この場合、通信処理Ｂでは、中継器２００ａは、通信機器１００ａが送信した意思情報Ｗ１を、中継器２００ｂを介して、通信機器１００ｂへ送信する。具体的には、中継器２００ａは、中継器２００ｂが通信機器１００ｂと通信可能な状態である場合、意思情報Ｗ１を、ネットーワークＮＷ１および中継器２００ｂを介して、通信機器１００ｂへ送信する。すなわち、利用者Ｍｎｂが保持している通信機器１００ｂが中継器２００ｂと通信可能な状態となったタイミングで、当該通信機器１００ｂは意思情報Ｗ１を受信する。
【０１３５】
また、利用者Ｍｎｂが保持している通信機器１００ｂが中継器２００ｂと通信可能な状態となったタイミングで、中継器２００ｂの報知部３は、意思情報Ｗ１に応じた報知を行うための処理（例えば、赤色光の点滅）を行う。これにより、利用者Ｍｎｂは、中継器２００ｂの報知部３による報知により、利用者Ｍｎａの意思Ｘ１を確認することができる。
【０１３６】
なお、構成ＣｔＸ４では、通信システム１０００Ａが２台の中継器２００の代わりに、１台の中継器２００を含む構成（以下、「構成ＣｔＸ４ａ」ともいう）としてもよい。すなわち、報知部３は、当該報知部３が通信機器１００ａおよび通信機器１００ｂの各々に含まれる代わりに、中継器２００に含まれる。
【０１３７】
構成ＣｔＸ４ａが適用された通信システム１０００Ａでは、通信機器１００ａは、中継器２００を介して、通信機器１００ｂと通信可能なように構成されている。
【０１３８】
ここで、通信機器１００ａが中継器２００と通信可能な状態において、当該通信機器１００ａが意思情報Ｗ１を、通信機器１００ｂに向けて、中継器２００ａへ送信したと仮定する。
【０１３９】
この場合、構成ＣｔＸ４ａにおける通信処理Ｂでは、通信機器１００ａが中継器２００ａと通信可能な状態において、当該通信機器１００ａが意思情報Ｗ１を、通信機器１００ｂへ送信する。これにより、通信機器１００ｂは意思情報Ｗ１を受信する。
【０１４０】
また、利用者Ｍｎｂが保持している通信機器１００ｂが中継器２００と通信可能な状態となったタイミングで、中継器２００の報知部３は、意思情報Ｗ１に応じた報知を行うための処理（例えば、赤色光の点滅）を行う。これにより、利用者Ｍｎｂは、中継器２００の報知部３による報知により、利用者Ｍｎａの意思Ｘ１を確認することができる。
【０１４１】
以上説明したように、本変形例によれば、中継器２００の報知部３により、意思情報Ｗ１に応じた報知を行うための処理が行われる。また、通信機器１００ａ，１００ｂの各々は、報知部３ａ，３ｂ，３ｃを含まない。
【０１４２】
これにより、浴場で使用される通信機器１００ａ，１００ｂの簡素化をはかることができる。また、浴場で使用される、耐水性、耐熱性等が必要な通信機器１００に報知部３を設けず、浴場外の中継器に報知部３を設けることにより、通信機器１００の故障を抑えることができる。
【０１４３】
（機能ブロック図）
図９は、通信システムＢＬ５０の特徴的な機能構成を示すブロック図である。通信システムＢＬ５０は、通信システム１０００または通信システム１０００Ａに相当する。つまり、図９は、通信システムＢＬ５０の有する機能のうち、本発明に関わる主要な機能を示すブロック図である。
【０１４４】
通信システムＢＬ５０は、通信機器ＢＬ１０と、通信機器ＢＬ２０とを備える。
【０１４５】
通信機器ＢＬ１０は、複数の浴場を有する施設に設けられている第１浴場を利用する第１利用者が当該第１浴場を利用する際に保持している通信機器である。通信機器ＢＬ２０は、前記施設に設けられている第２浴場を利用する第２利用者が当該第２浴場を利用する際に保持している通信機器である。
【０１４６】
通信機器ＢＬ１０および通信機器ＢＬ２０の各々は、当該通信機器ＢＬ１０と当該通信機器ＢＬ２０との間で通信を行う機能を有する。
【０１４７】
通信機器ＢＬ１０は、通信機器１００ａおよび通信機器１００ｂの一方に相当する。通信機器ＢＬ２０は、通信機器１００ａおよび通信機器１００ｂの他方に相当する。
【０１４８】
また、通信機器ＢＬ１０および通信機器ＢＬ２０の各々は、機能的には、受付部ＢＬ１１と、報知部ＢＬ１２とを含む。
【０１４９】
受付部ＢＬ１１は、人間の意思を別の人間に伝えるための操作である意思伝達操作を受付ける機能を有する。受付部ＢＬ１１は、受付部２に相当する。報知部ＢＬ１２は、前記意思伝達操作に対応する意思を報知するための処理を行う機能を有する。報知部ＢＬ１２は、報知部３に相当する。
【０１５０】
通信機器ＢＬ１０は、当該通信機器ＢＬ１０の受付部ＢＬ１１が前記第１利用者により行われる前記意思伝達操作を受け付けた場合、当該意思伝達操作に対応する意思を特定するための意思情報を、通信機器ＢＬ２０へ送信する。通信機器ＢＬ２０の報知部ＢＬ１２は、前記意思情報により特定される意思を報知するための報知処理を行う。
【０１５１】
（その他の変形例）
以上、本発明に係る通信システムについて、各実施の形態、変形例に基づいて説明したが、本発明は、当該各実施の形態、変形例に限定されるものではない。本発明の主旨を逸脱しない範囲内で、当業者が思いつく変形を各実施の形態、変形例に施したものも、本発明に含まれる。つまり、本発明は、その発明の範囲内において、各実施の形態、変形例を自由に組み合わせたり、各実施の形態、変形例を適宜、変形、省略することが可能である。
【０１５２】
また、通信機器１００は、図で示される全ての構成要素を含まなくてもよい。すなわち、通信機器１００は、本発明の効果を実現できる最小限の構成要素のみを含めばよい。
【０１５３】
また、本発明は、通信システム１０００または通信システム１０００Ａが備える特徴的な構成部の動作をステップとする意思伝達方法として実現してもよい。また、本発明は、そのような意思伝達方法に含まれる各ステップをコンピュータに実行させるプログラムとして実現してもよい。また、本発明は、そのようなプログラムを格納するコンピュータ読み取り可能な記録媒体として実現されてもよい。また、当該プログラムは、インターネット等の伝送媒体を介して配信されてもよい。
【０１５４】
上記実施の形態で用いた全ての数値は、本発明を具体的に説明するための一例の数値である。すなわち、本発明は、上記実施の形態で用いた各数値に制限されない。
【０１５５】
なお、本発明は、その発明の範囲内において、各実施の形態、変形例を自由に組み合わせたり、各実施の形態、変形例を適宜、変形、省略することが可能である。
【符号の説明】
【０１５６】
２，２ａ，２ｂ，２ｃ，ＢＬ１１  受付部、３，３ａ，３ｂ，３ｃ，ＢＬ１２  報知部、１００，１００ａ，１００ｂ，ＢＬ１０，ＢＬ２０  通信機器、２００，２００ａ，２００ｂ  中継器、１０００，１０００Ａ，ＢＬ５０  通信システム。
【図１】
2018128707.tif 000003
【図２】
2018128707.tif 000004
【図３】
2018128707.tif 000005
【図４】
2018128707.tif 000006
【図５】
2018128707.tif 000007
【図６】
2018128707.tif 000008
【図７】
2018128707.tif 000009
【図８】
2018128707.tif 000010
【図９】
2018128707.tif 000011